(57)【要約】【課題】ポケットなどに重量のあるタックルを収納した場合でも、十分な浮力を得ることができる釣り用上着を提供する。【解決手段】上着本体に、固形状の浮力体と膨脹式の袋状の浮力体を備えた釣り用上着であって、前記袋状の浮力体は、非膨脹時に前記上着本体に収納されていて、膨脹することにより該上着本体から膨出すること。また、前記袋状の浮力体は、前記上着本体を構成する前身頃に収納されていて、膨脹することにより該前身頃から前方側へ膨出すること。【選択図】図３
2011157665.tif 000002
【特許請求の範囲】
【請求項１】
上着本体に、固形状の浮力体と膨脹式の袋状の浮力体を備えた釣り用上着であって、
前記袋状の浮力体は、非膨脹状態では前記上着本体に収納されていて、膨脹状態では前記上着本体から膨出した状態となるように構成されていることを特徴とする釣り用上着。
【請求項２】
前記袋状の浮力体は、非膨脹状態では、前記上着本体を構成する前身頃に収納されていて、膨脹状態では、該前身頃から前方側へ膨出していることを特徴とする請求項１に記載の釣り用上着。
【請求項３】
前記前身頃に左右のポケットを備え、前記袋状の浮力体は、膨脹状態では、該左右のポケットの間から前方側へ膨出していることを特徴とする請求項２に記載の釣り用上着。
【請求項４】
前記固形状の浮力体は、前記前身頃の表地と裏地との間に配置され、前記固形状の浮力体と前記表地との間には、非膨脹状態の前記袋状の浮力体を収納可能な収納部が形成され、該収納部には、開閉可能な開閉部が備えられ、該開閉部は、閉じ状態から左右に開いて開状態になり、該開閉部が、閉じ状態から開状態になって前記袋状の浮力体が膨脹状態になることを特徴とする請求項２又は請求項３に記載の釣り用上着。
【発明の詳細な説明】
【技術分野】
【０００１】
本発明は、上着本体に、固形状の浮力体と膨脹式の袋状の浮力体を備えた釣り用上着に関する。
【背景技術】
【０００２】
この種のフローティングベストは、上着本体内に、ＰＶＣ、ＰＥ、ＥＶＡ等からなる固形状の浮力体を備えて、落水時に身体を水面から浮かせることができるようにしている。
【０００３】
そして、このようなフローティングベストを着用して釣りを行う場合には、フローティングベストに備えるポケットやフローティングベストの内側に着ている衣服のポケットなどに、錘や仕掛けあるいは釣用小物等のタックルを収納している。
【０００４】
上記タックルを収納していると、その分重くなるため、より多くの浮力が必要になる。そこで、例えば、上着本体内に備えている固形状の浮力体に加えて、膨脹式の袋状の浮力体を備えたものが提案されている。具体的には、前身頃内に備える固形状の浮力体と前身頃の表地との間及び後身頃内に備える固形状の浮力体と後身頃の表地との間のそれぞれに、膨脹式の袋状の浮力体を備えたものが提案されている（例えば、特許文献１参照）。
【先行技術文献】
【特許文献】
【０００５】
【特許文献１】登録実用新案第３０６５６０６号公報（図１、図２参照）
【発明の概要】
【発明が解決しようとする課題】
【０００６】
ところで、ポケットに収納されるタックルは、場合によっては７〜８ｋｇ位になる場合もある。
このため、特許文献１の構成によれば、前後に備える膨脹式の袋状の浮力体が、前身頃内に備える固形状の浮力体と前身頃の表地との間及び後身頃内に備える固形状の浮力体と後身頃の表地との間の狭いスペースに収納されているため、膨脹式の袋状の浮力体が膨脹したとしても、その膨脹した体積は小さく、十分な浮力を得ることができないものであった。
【０００７】
本発明は、前述の状況に鑑みてなされ、ポケットなどに重量のあるタックルを収納した場合でも、十分な浮力を得ることができる釣り用上着を提供することにある。
【課題を解決するための手段】
【０００８】
本発明の釣り用上着は、前述の課題解決のために、上着本体に、固形状の浮力体と膨脹式の袋状の浮力体を備えた釣り用上着であって、前記袋状の浮力体は、非膨脹状態では前記上着本体に収納されていて、膨脹状態では前記上着本体から膨出した状態となるように構成されていることを特徴としている。
【０００９】
上記のように袋状の浮力体が常時（非膨脹状態）には上着本体に収納され、落水時等の非常時（膨脹状態）には上着本体から膨出した状態となるように構成されていることから、上着本体から膨出する分だけ袋状の浮力体を大きくできて、大きな浮力を得ることができる。
【００１０】
また、本発明の釣り用上着は、前記袋状の浮力体が、非膨脹状態では、前記上着本体を構成する前身頃に収納されていて、膨脹状態では、該前身頃から前方側へ膨出している構成であってもよい。
【００１１】
上記のように、膨脹状態で、該前身頃から前方側へ膨出している構成にすれば、落水時等に袋状の浮力体を膨脹状態にすることで、着用者の前方側で浮力が大きくなり、顔側が上になるような仰向けの浮遊姿勢を維持し易い。
【００１２】
また、本発明の釣り用上着は、前記前身頃に左右のポケットを備え、前記袋状の浮力体は、膨脹状態では、該左右のポケットの間から前方側へ膨出している構成であってもよい。
【００１３】
上記のように、膨脹状態では、該左右のポケットの間から前方側へ膨出している構成にすれば、落水時等に袋状の浮力体を膨脹状態にすることで、着用者の身体の左右中心部から前方側へ膨出して、顔側が上になるような仰向けの浮遊姿勢をより一層維持し易い。
【００１４】
また、本発明の釣り用上着は、前記固形状の浮力体が、前記前身頃の表地と裏地との間に配置され、前記固形状の浮力体と前記表地との間には、非膨脹状態の前記袋状の浮力体を収納可能な収納部が形成され、該収納部には、開閉可能な開閉部が備えられ、該開閉部は、閉じ状態から左右に開いて開状態になり、該開閉部が、閉じ状態から開状態になって前記袋状の浮力体が膨脹状態になる構成であってもよい。
【００１５】
上記のように、開閉部が、閉じ状態から左右に開いて開状態になって前記袋状の浮力体が膨脹状態になる構成にすれば、着用者の身体の左右中心部から前方側への浮力の容量を更に増大させることができ、顔側が上になるような仰向けの浮遊姿勢を更に安定させることができる。
【発明の効果】
【００１６】
非膨脹時では前記上着本体に収納されていて、膨脹状態では該上着本体から膨出する袋状の浮力体を上着本体に備えることによって、浮力の容量を増大させることができ、ポケットなどに重量のあるタックルを収納した場合でも、十分な浮力を得ることができる釣り用上着を提供することができる。しかも、浮力体を上着本体に収納するために確保する容量は、非膨脹状態の浮力体を収納できる程度の小さな容量で済むから、上着本体内で袋状の浮力体を膨脹させる構成に比べて上着本体が大型化することを可及的に抑制できる利点がある。
【図面の簡単な説明】
【００１７】
【図１】本発明の釣り用上着の正面図である。
【図２】図１で示した釣り用上着の左右の前身頃を横に開放して内側が見えるようにした正面図である。
【図３】図１で示した釣り用上着の左右の前身頃の表地を開放して内部に収納されている膨脹式の袋状の浮力体が見えるようにした正面図である。
【図４】膨脹式の袋状の浮力体の正面図である。
【図５】本発明の釣り用上着を装着して膨脹式の袋状の浮力体を膨脹させた状態を示す側面図である。
【図６】本発明の釣り用上着を装着して膨脹式の袋状の浮力体を膨脹させた状態を示す正面図である。
【図７】本発明の釣り用上着を装着して膨脹式の袋状の浮力体を膨脹させた状態を示す背面図である。
【図８】本発明の釣り用上着の前身頃の表地を開放状態にした正面図である。
【図９】本発明の釣り用上着の前身頃の概略横断平面図を示し、（ａ）は袋状の浮力体が収納されている状態を示し、（ｂ）は袋状の浮力体が膨出した状態を示している。
【発明を実施するための形態】
【００１８】
図１及び図２に、浮力材付き釣り用の上着の一例である袖なしの上着であるベストを示しているが、袖のある上着であってもよい。このベストは、例えばルアーフィッシングの釣りの際に装着されるフローティングベストとして使用しているが、その他の釣り（磯釣りや波止釣りや船釣り等）で使用してもよい。
【００１９】
ベストは、前身頃１と、この前身頃１の左右両端に連結される後身頃２とを有する上着本体を備えている。前身頃１は、左前身頃３と右前身頃４とを備え、左右中央部を開放自在な観音開き式の左右の前身頃に構成されている。左前身頃３は、前方に位置するメインの左前身頃３Ａと、このメインの左前身頃３Ａの後端に連結され、メインの左前身頃３Ａよりも小さなサブの左前身頃３Ｂとを備えている。また、右前身頃４は、前方に位置するメインの右前身頃４Ａと、このメインの右前身頃４Ａの後端に連結され、メインの右前身頃４Ａよりも小さなサブの右前身頃４Ｂとを備えている。そして、４つの前身頃３Ａ，３Ｂ，４Ａ，４Ｂの内部に、固形状の浮力体５，６，７，８を備えている。これら左前身頃３及び右前身頃４の左右方向中心部側端に備えさせたベスト着脱用のスライドファスナーＦを開閉操作することで身体にベストを着脱することができるようになっている。
【００２０】
前記メインの左前身頃３Ａに備えた浮力体５は、上部に位置する上側の浮力体５Ａと下側に位置し身体の外周方向に沿って隣り合う一対の浮力体５Ｂ，５Ｃの３つから構成され、身体にフィットし易いようになっている。また、メインの右前身頃４Ａに備えた浮力体７も同様に、上側の浮力体７Ａと下側に位置し身体の外周方向に沿って隣り合う一対の浮力体７Ｂ，７Ｃの３つから構成され、身体にフィットし易いようになっている。
【００２１】
また、メインの左前身頃３Ａの上側に第１ポケット１０を備え、下側に第１ポケット１０よりも大きく、該左前身頃３Ａから離間する外側に張り出すマチ部１１Ａを有する第２ポケット１１を備え、図２及び図３に示すように、第２ポケット１１の前側部分にポケット１１の上下寸法と略同一でかつ左右幅寸法と略同一の寸法を有する固形状で矩形状の浮力体１２を備えている。マチ部１１Ａには、ポケット１１の開口部を開閉するためのファスナー１１Ｂを備えている。
【００２２】
また、メインの右前身頃４Ａの上側に第３ポケット１３を備え、下側に第３ポケット１３よりも大きく、該右前身頃４Ａから離間する外側に張り出すマチ部１４Ａを有する第４ポケット１４を備え、図２及び図３に示すように、第４ポケット１４の前側部分にポケット１４の上下寸法と略同一でかつ左右幅寸法と略同一の寸法を有する固形状で矩形状の浮力体１５を備えている。マチ部１４Ａには、ポケット１４の開口部を開閉するためのファスナー１４Ｂを備えている。このようにポケット１１，１４の前側部分にも、浮力体１２，１５を備えさせることによって、効率よく浮力をアップさせることができる。
【００２３】
後身頃２の内部には、前身頃１に備えた全ての浮力材５，６，７，８，１２，１５による浮力よりも浮力が小さく設定された５つの浮力材１６，１７，１８，１９，２０を備えている。浮力材の個数は、図に示す５つに限定されるものではない。
【００２４】
図２、図３及び図７に示すように、左前身頃３の上端及び右前身頃４の上端には、身体の後側となる背中の上側部分を覆う背中部２１が連結され、この背中部２１の下端と後身頃２の上端とが長さ調整自在に構成された左右一対の連結具９，９を介して連結されている。
【００２５】
図２、図３及び図９（ａ），（ｂ）に示すように、前記左前身頃３は、前記浮力体５を収納するための表側生地４２Ａと裏側生地４２Ｂとからなる左側収納袋４２と、この左側収納袋４２の前方に膨脹式の袋状の浮力体４３の一部（左側部分）を収納するための収納部Ｓ１を形成するための裏生地４４Ａ（図９にのみ図示している）を備えた左側表地４４とを備えている。又、前記右前身頃４は、前記浮力体７を収納するための表側生地４５Ａと裏側生地４５Ｂとからなる右側収納袋４５と、この右側収納袋４５の前方に膨脹式の袋状の浮力体４３の一部（右側部分）を収納するための収納部Ｓ２を形成する裏生地４６Ａ（図９にのみ図示している）を備えた右側表地４６とを備えている。これら左側表地４４及び右側表地４６の表面に前記ポケット１０，１１，１３，１４を備えている。図９（ａ），（ｂ）に示すように、裏生地４４Ａ，４６Ａの左右方向一端が、左右の表地４４，４６の合わせ部側端に縫着され、左右方向他端が、表側生地４２Ａ，４５Ａの脇側寄り部分に縫着されている。尚、図９では、ポケット１１，１４を省略している。また、前記裏生地４４Ａ，４６Ａを省略して実施することもできる。
【００２６】
図２に示すように、右側収納袋４５の裏側生地４５Ｂ、左側収納袋４２の裏側生地４２Ｂ、後身頃２の裏側（内側）の生地は、下端よりも少し上方の位置から上端までの範囲に渡る上下方向に長尺な第１生地４ａ、３ａ、２ａと、下端から少し上方の位置までの範囲に渡り、かつ、第１生地４ａ、３ａ、２ａの下部と一部重複するように該第１生地の下端４ｃ，３ｃ，２ｃよりも上方に位置する上端４ｄ，３ｄ，２ｄを有する上下方向に短尺な第２生地４ｂ、３ｂ、２ｂとを備え、第１生地４ａ、３ａ、２ａと第２生地４ｂ、３ｂ、２ｂとをそれらの重複部分に備えた複数のドット釦３９，４０，４１により連結している。従って、ドット釦３９，４０，４１の係合を解除することにより、第１生地４ａ、３ａ、２ａと第２生地４ｂ、３ｂ、２ｂとの間を開口させて浮力体７，５，１６，１７，１８，１９，２０をメインの右前身頃４Ａ、メインの左前身頃３Ａ、後身頃２の下側から取り出すことができるようになっている。説明はしないが、サブの左前身頃３Ｂ及びサブの右前身頃４Ｂも同様に浮力体を取り出すことができる構成になっている。
【００２７】
図３、図８及び図９（ａ），（ｂ）に示すように、前記左側表地４４の上端には、該上端から後側に延びてから左右中央側に延びることで前記背中部２１の左側表地２１Ａを備えている。また、右側表地４６の上端には、該上端から後側に延びてから左右中央側に延びることで前記背中部２１の右側表地２１Ｂを備えている。そして、左前身頃３の左側表地４４及び背中部２１の左側表地２１Ａの左脇側（身頃の合わせ部から離間する側）が、左側収納袋４２及び背中部２１の左脇側（身頃の合わせ部から離間する側）に縫着され、左前身頃３の左側表地４４及び背中部２１の左側表地２１Ａが左脇側（身頃の合わせ部から離間する側端）の縫着部分Ｔ１を支点として揺動自在に構成している。従って、左前身頃３の左側表地４４及び背中部２１の左側表地２１Ａが、前記左半分の収納部Ｓ１を開閉することができる開閉可能な開閉部を構成している。前記右前身頃４の右側表地４６及び背中部２１の右側表地２１Ｂの右脇側（身頃の合わせ部から離間する側）が、右側収納袋４５及び背中部２１の右脇側身頃の合わせ部から離間する側）に縫着され、右前身頃４の右側生地４６及び背中部２１の右側表地２１Ｂが右脇側（身頃の合わせ部から離間する側）の縫着部分Ｔ２を支点として揺動自在に構成している。前記右前身頃４の右側生地４６及び背中部２１の右側表地２１Ｂが、前記右半分の収納部Ｓ２を開閉することができる開閉可能な開閉部を構成している。従って、前記左右の開閉部が閉じ状態から開状態になって前記袋状の浮力体４３が膨脹状態になるように構成されている。図３及び図８では、左右の収納部Ｓ１，Ｓ２を開放した状態を示している。また、図８では、浮力体４３を収納部Ｓ１，Ｓ２に収納する直前の状態を示している。
【００２８】
図３及び図８に示すように、前記右前身頃４の右側表地４６及び背中部２１の右側表地２１Ｂの前身頃の合わせ部側端に面ファスナー４７を縫着等により備えるとともに、前記左前身頃３の左側表地４４及び背中部２１の左側表地２１Ａの前身頃の合わせ部側端に面ファスナー４８を縫着等により備えている。そして、前記面ファスナー４７，４８に係止する一対の面ファスナー４９，５０を収納袋４２，４５及び背中部２１の前身頃の合わせ部側端に縫着等により備えている。また、背中部２１の表地２１Ａ，２１Ｂの前身頃の合わせ部側端とは反対側となる後端に面ファスナー５２，５３を縫着等により備え、これら面ファスナー５２，５３に係止する面ファスナー５４を背中部２１の前身頃の合わせ部側端とは反対側となる後端に縫着等により備えている。また、背中部２１の表地２１Ａ，２１Ｂの遊端部には、両者を連結するための面ファスナー５５，５６を縫着等により備えている。まず、右前身頃４の右側生地４６及び背中部２１の右側生地２１Ｂを収納袋４５及び背中部２１へ縫着部分Ｔ２を支点として揺動して被せることで、面ファスナー４７と４９とが係止するとともに面ファスナー５２と５４の一端側部分とが係止して右半分の収納部Ｓ２を閉じることができ、次に、左前身頃３の左側表地４４及び背中部２１の左側表地２１Ａを収納袋４２及び背中部２１へ縫着部分Ｔ１を支点として揺動して被せることで、面ファスナー４８と５０とが係止するとともに面ファスナー５３と５４の他端側部分とが係止して左半分の収納部Ｓ１を閉じることができ、さらには面ファスナー５５，５６が係止して表地２１Ａ，２１Ｂの遊端部を連結することができる。ここでは、面ファスナーを示しているが、他の各種係止部材であってもよい。
【００２９】
前記袋状の浮力体４３は、図４に示すように、２枚の生地を重ね合わせて略アーチ状に構成され、重ね合わされた外周部分４３Ａを接着又は溶着等することにより密閉空間を形成することができ、図７に示すボンベＶからの気体を浮力体４３に供給することにより膨脹するようになっている。前記浮力体４３には、ボンベＶからの気体により十分に膨脹できなかった場合に、エアを吹き込むことができるエア管Ｒを備えている。また、浮力体４３の両端には、ベルトを介して雄部材５７Ａをそれぞれ備えるとともに、これら雄部材５７Ａ，５７Ａが挿入されて係合するための雌部材５７Ｂを収納袋４２，４５に備えさせて、係合解除自在なバックルを構成している。また、ボンベＶを開放操作する操作部（図示せず）に該操作部を操作するための紐５８と紐５８の先端に連結された引っ張り具５９とを備えている。また、浮力体４３は、上端側の左右幅Ｗ１よりも下端側の左右幅Ｗ２の方が幅広に構成されており、身体の下側ほど浮力が発生するようになっている。
【００３０】
図３及び図８に示すように、浮力体４３が膨脹した状態で、上着本体から浮力体４３が浮き上がることができないように上着本体に浮力体４３を固定するための複数（図では３本）のループ６０，６１，６２を備えている。左右のループ６２，６０は、左右の収納袋４２，４５の上部に縫着等により取り付けられ、上側のループ６１は、それの両端が背中部２１の左右方向中央部に縫着等により取り付けられている。これらループ６０，６１，６２に浮力体４３を挿入するとともに前記バックルにて浮力体４３の両端が上着本体側に連結されることによって、上着本体に浮力体４３を固定することができるようにしている。尚、右側のループ６０の一端が、前記縫着部分Ｔ２に縫着され、他端が右側収納袋４５の面ファスナー４９（後述する）の近傍に縫着されている。また、左側のループ６２の一端が、前記縫着部分Ｔ１に縫着され、他端が左側収納袋４２の面ファスナー５０（後述する）の近傍に縫着されている。
【００３１】
従って、浮力体４３は、非膨脹時（常時）に前身頃と前身頃の表地との間に折り畳まれて収納されていて（図９（ａ）参照）、落水時等の非常時に引っ張り具５９を引っ張ることによりボンベＶからの気体を浮力体４３に供給されることにより浮力体４３が膨脹する。この膨脹により、面ファスナー４７と４９、４８と５０、５５と５６、５３と５４、５２と５４の係止が解除され、図３、図８及び図９（ｂ）に示すように左右の前身頃３の表地４４，４６が左右に広がるように開くことで、図６及び図９（ｂ）に示すように、浮力体４３が前方だけでなく、左右方向にも膨出することができるようになっている。そして、このように浮力体４３が膨出することにより、浮力の容量を増大させることができ、図５に示すように顔側が上になるような仰向けの浮遊姿勢を安定させることができる。また、図６に示すように、浮力体４３を首からポケット１１，１４のある身頃下部にまで備えることによって、浮遊姿勢を安定良く維持することが可能になる。また、９図（ａ）に示すように、浮力体４３を収納する収納部Ｓ１，Ｓ２の容量は、非膨脹状態の浮力体４３を収納できる程度の小さな容量で済むから、前身頃内で膨脹させるものに比べて前身頃が大型化することを可及的に抑制できる。
【００３２】
また、図２に示すように、前身頃１と後身頃２を身体に保持するための１本のベルト２２を備えている。具体的には、ベルト２２を前身頃１及び後身頃２の内側に保持するための５つの帯状でループ状の保持部２３，２４，２５，２６，２７を備え、それら保持部２３，２４，２５，２６，２７のうちの後身頃２の幅方向中央部の保持部２５を除いた保持部２３，２４，２６，２７がベルト２２をそれの長さ方向に移動可能で、かつ、ベルト２２の締め付け時において前身頃１及び後身頃２をベルト２２から離間可能とする融通部を備えている。
【００３３】
また、前記保持部２５は、前記保持部２４，２６と同一の構成であるが、ドット釦によりベルト２２を保持部２５に固定している。このドット釦は、ベルト側に設けられた雄型部材（図示せず）と、この雄型部材に係合するように保持部２５側に設けられた雌型部材２８とからなっているが、他の部材にて固定してもよいし、場合によっては、固定しないで他の保持部と同様に、ベルト２２を挿通可能なループに構成してもよい。
【００３４】
また、メインの右前身頃４Ａの裏面に縫着した保持部２３及びメインの左前身頃３Ａの裏面に縫着した保持部２７は、図２に示すように、各保持部の上下端部が右前身頃４Ａの内面に縫着された上下一対の補強用帯状部材２９，３０及び左前身頃３Ａの内面に縫着された上下一対の補強用帯状部材３１，３２で覆われ、その覆われた部分を縫着することにより固定されている。
【００３５】
また、残りの保持部２４，２５，２６も同様に、各保持部の上下端部が後身頃２の内面に縫着された上下一対の補強用帯状部材３３，３４で覆われ、その覆われた部分を縫着することにより固定されている。
【００３６】
図２に示すように、ベルト２２の一端には、雄部材３５Ａが備えられ、他端には、雄部材３５Ａを挿入して係合可能な雌部材３５Ｂが備えられて、係合解除自在なバックルを構成している。従って、衣服本体を身体に着てからベルト２２の雄部材３５Ａを雌部材３５Ｂに挿入することにより両者が係合してベルト２２を身体に装着することができる。また、ベルト２２の雄部材３５Ａ側近傍に、ベルト２２の長さを調節するための長さ調節具Ｇを備えており、身体の胴回りのサイズに応じてベルト２２の長さを調節することができる。また、ベルト２２の雌部材３５Ｂ側近傍にも、同じようにベルト２２の長さを調節するための長さ調節具Ｇを備えており、ベルト２２の両サイドでベルト２２の長さを調節することができるようになっている。
【００３７】
尚、本発明は、上記実施形態に限定されるものではなく、本発明の要旨を逸脱しない範囲で種々の変更が可能である。
【００３８】
前記実施形態では、下側のポケット１１，１４にのみ固形状の浮力体１２，１５を備えさせたが、上側のポケット１０，１３にも固形状の浮力体を備えて実施してもよいし、場合によっては、下側のポケット１０，１１，１３，１４に固形状の浮力体を備えさせないで実施することもできる。
【００３９】
また、前記実施形態では、前身頃を左右の前身頃から構成したが、頭から被って着るような１つの前身頃からなるベストであってもよい。この場合、例えば前身頃の左右中央部に袋状の浮力体が外部へ膨出することができる開閉自在な開閉部を備えさせることになる。又、前身頃にのみ袋状の浮力体を備えさせたが、後身頃にも袋状の浮力体を備えさせて実施してもよい。
【００４０】
また、前記実施形態では、浮力体４３が前方だけでなく、左右方向にも膨出することができるように構成したが、前方にのみ膨出することができるように構成してもよい。
【００４１】
また、前記実施形態では、前身頃以外の背中部２１にも袋状の浮力体４３の一部を収納するように構成したが、前身頃のみに袋状の浮力体を備えさせてもよい。また、袋状の浮力体は１個だけでなく、複数設けてもよい。
【００４２】
また、前記実施形態では、袋状の浮力体が手動操作により膨脹させる構成であったが、落水したことを検知する検出手段と、その検出手段からの検出信号に基づいて袋状の浮力体を膨脹させる制御手段とを備えた構成であってもよい。
【符号の説明】
【００４３】
１…前身頃、２…後身頃、３…左前身頃、４…右前身頃、４ａ，４ｂ…生地、４ｃ，３ｃ，２ｃ…下端、４ｄ，３ｄ，２ｄ…上端、５…浮力体、５，６，７，８，１２，１５，１６，１７，１８，１９，２０…浮力材、９，９…連結具、１０，１１，１３，１４…ポケット、１１Ａ，１４Ａ…マチ部、１１Ｂ，１４Ｂ…ファスナー、２１…背中部、２１Ａ…左側表地、２１Ｂ…右側表地、２２…ベルト、２３，２４，２５，２６，２７…保持部、２８…雌型部材、２９，３０，３１，３２，３３，３４…補強用帯状部材、３５Ａ…雄部材、３５Ｂ…雌部材、３９，４０，４１…ドット釦、４２…左側収納袋、４２Ａ…表側生地、４２Ｂ…裏側生地地、４３…袋状の浮力体、４４…左側表地、４５…右側収納袋、４５Ａ…表側生地、４５Ｂ…裏側生地、４６…右側表地、４７，４８，４９，５０，５２，５３，５４，５５，５６…面ファスナー、５７Ａ…雄部材、５７Ｂ…雌部材、５８…紐、５９…引っ張り具、６０，６１，６２…ループ、Ｆ…スライドファスナー、Ｇ…調節具、Ｒ…エア管、Ｖ…ボンベ
【図１】
2011157665.tif 000003
【図２】
2011157665.tif 000004
【図３】
2011157665.tif 000005
【図４】
2011157665.tif 000006
【図５】
2011157665.tif 000007
【図６】
2011157665.tif 000008
【図７】
2011157665.tif 000009
【図８】
2011157665.tif 000010
【図９】
2011157665.tif 000011